(57)【特許請求の範囲】
【請求項１】
電極組立体、並びに
内部に前記電極組立体を収容し、第１終端に配置される終端壁、前記終端壁に接続され前記第１終端とは反対側の第２終端に向けて延びる側壁、及び前記終端壁と前記側壁との間を接続するラウンド部を有するケース
を備えるバッテリーセルと、
前記ケースの側壁に配置される第１部分、及び前記ラウンド部の少なくとも一部を覆う第２部分を有する絶縁部材と
を備え、
前記絶縁部材の第２部分の終端が前記ラウンド部に位置するとともに前記第１部分よりもバッテリーセル側に位置し、
前記絶縁部材の第２部分の終端の外面が前記ケースの前記終端壁の外面と同一平面をなし、
前記バッテリーセルの前記ケースの側壁に配置される前記絶縁部材の第１部分と隣接した少なくとも一つの隔壁をさらに備えることを特徴とするバッテリーパック。
【請求項２】
前記絶縁部材が絶縁性熱収縮物質を含むことを特徴とする請求項１に記載のバッテリーパック。
【請求項３】
前記絶縁部材がポリカーボネート（ＰＣ）、ポリプロピレン（ＰＰ）、ポリエチレン（ＰＥ）及びポリエチレンテレフタレート（ＰＥＴ）の中から選択された少なくともいずれか一つの物質から形成されることを特徴とする請求項１に記載のバッテリーパック。
【請求項４】
前記絶縁部材がセラミック粒子を含むことを特徴とする請求項３に記載のバッテリーパック。
【請求項５】
前記ケースの側壁が少なくとも一つの第１側壁と、前記少なくとも一つの第１側壁と接続する少なくとも一つの第２側壁とを備え、
前記絶縁部材がチューブ状を有し、前記少なくとも一つの第１側壁と前記少なくとも一つの第２側壁とを連続的に取り囲むことを特徴とする請求項１に記載のバッテリーパック。
【請求項６】
前記絶縁部材が０．０５ｍｍ〜０．３ｍｍの厚さを有することを特徴とする請求項１に記載のバッテリーパック。
【請求項７】
前記ラウンド部は、１ｍｍ〜８ｍｍの曲率半径を有することを特徴とする請求項１に記載のバッテリーパック。
【請求項８】
前記絶縁部材の終端において、該絶縁部材の外面と前記終端壁の外面とが同一平面をなすことを特徴とする請求項１に記載のバッテリーパック。
【請求項９】
前記ラウンド部が前記ケースの外方に向けて突出することを特徴とする請求項１に記載のバッテリーパック。
【請求項１０】
前記ラウンド部が、前記側壁と接続する第１の終端と、前記終端壁と接続される第２の終端とを備え、
前記第２の終端において前記ラウンド部の外面と前記終端壁の外面とが同一平面をなすことを特徴とする請求項１に記載のバッテリーパック。
【請求項１１】
前記ラウンド部は、前記ケースの内方に向けて突出することを特徴とする請求項１に記載のバッテリーパック。
【請求項１２】
前記絶縁部材の第１部分が平面部であり、
前記絶縁部材の第２部分がラウンド部であることを特徴とする請求項１に記載のバッテリーパック。
【請求項１３】
前記絶縁部材の前記第１部分と前記第２部分とが一体となった部材、又は分離された部分であることを特徴とする請求項１に記載のバッテリーパック。
【請求項１４】
前記絶縁部材が終端壁には配置されないことを特徴とする請求項１に記載のバッテリーパック。
【請求項１５】
前記ケースの終端壁と接触する冷却プレートをさらに備えることを特徴とする請求項１に記載のバッテリーパック。
【請求項１６】
電極組立体、並びに
内部に前記電極組立体を収容し、第１終端に配置される終端壁、前記終端壁に接続され前記第１終端とは反対側の第２終端に向けて延びる側壁、及び前記終端壁と前記側壁との間を接続するラウンド部を有するケース
を備えるバッテリーセルと、
前記ケースの側壁に配置され、前記ラウンド部の少なくとも一部を覆う絶縁部材と
を備え、
前記絶縁部材の前記ラウンド部の少なくとも一部を覆う部分の終端が前記絶縁部材の前記ケースの側壁を覆う部分よりもバッテリーセル側に位置し、
前記絶縁部材の前記ラウンド部の少なくとも一部を覆う部分の終端の外面と前記終端壁の外面とが同一平面をなし、
前記バッテリーセルの前記ケースの側壁に配置される前記絶縁部材と隣接した少なくとも一つの隔壁をさらに備えることを特徴とするバッテリーパック。
【請求項１７】
前記側壁の外面から前記絶縁部材の終端までの距離が、前記側壁の外面から前記ケースの第１終端から第２終端に向かう中心軸までの距離の１０％以下であることを特徴とする請求項１６に記載のバッテリーパック。
【請求項１８】
前記ケースが、前記ラウンド部と前記終端壁との間を接続し、前記終端壁の外面よりも前記ケースの内側に位置し前記終端壁の外面に対して平行な外面を有する延長部をさらに備え、
前記絶縁部材が前記延長部の少なくとも一部を覆うことを特徴とする請求項１６に記載のバッテリーパック。
【請求項１９】
前記ケースの終端壁と接触する冷却プレートをさらに備えることを特徴とする請求項１６に記載のバッテリーパック。
【請求項２０】
前記絶縁部材が前記ラウンド部と前記冷却プレートとの間の空間内部に延びることを特徴とする請求項１９に記載のバッテリーパック。
【発明の詳細な説明】
【技術分野】
【０００１】
本発明は、バッテリーパックに関する。
【背景技術】
【０００２】
一般に、二次電池は、充電及び放電が可能で繰り返し使用することができる電池であって、少なくとも一つのバッテリーセルを含むバッテリーパック形態で製造されうる。
【０００３】
このようなバッテリーパックは、携帯電話、ノート型パソコン、コンピュータ、カメラ、ビデオカメラなどの携帯用小型電子機器に使用される他、高出力のハイブリッド電気自動車（ＨＥＶ）、電気自動車（ＥＶ）、電気モータースクーターなどのモーター駆動用電源として広く使用されている。
【０００４】
このようにバッテリーパックは、外部電子機器に装着されて使用されるために、バッテリーセルと外部電子機器との間の不要な短絡を防止するためのバッテリーセルの絶縁処理が求められている。
【発明の概要】
【発明が解決しようとする課題】
【０００５】
本発明の目的は、バッテリーセルをフレームの空間に挿入する際に、絶縁部材の終端が隔壁にかかって損傷するのを防止して、バッテリーセルの絶縁性を確保することができるバッテリーパックに関する。
【課題を解決するための手段】
【０００６】
上記の目的を達成すべく、本発明の実施の形態に係るバッテリーパックは、電極組立体、並びに内部に前記電極組立体を収容し、第１終端に配置される終端壁、前記終端壁に接続され前記第１終端とは反対側の第２終端に向けて延びる側壁、及び前記終端壁と前記側壁との間を接続するラウンド部を有するケースを備えるバッテリーセルと、前記ケースの側壁に配置される第１部分、及び前記ラウンド部の少なくとも一部を覆う第２部分とを有する絶縁部材とを備え、前記絶縁部材の第２部分の終端が前記ラウンド部に位置することを特徴とする。
【０００７】
また、前記バッテリーパックは、前記バッテリーセルと隣接した少なくとも一つの隔壁をさらに備えることができる。
【０００８】
前記絶縁部材が絶縁性熱収縮物質を含むことができる。
【０００９】
前記絶縁部材がポリカーボネート（ＰＣ）、ポリプロピレン（ＰＰ）、ポリエチレン（ＰＥ）及びポリエチレンテレフタレート（ＰＥＴ）の中から選択された少なくともいずれか一つの物質から形成されることができる。
【００１０】
前記絶縁部材がセラミック粒子を含むことができる。
【００１１】
前記ケースの側壁が少なくとも一つの第１側壁と、前記少なくとも一つの第１側壁と接続する少なくとも一つの第２側壁とを備え、前記絶縁部材がチューブ状を有し、前記少なくとも一つの第１側壁と前記少なくとも一つの第２側壁とを連続的に取り囲むことができる。
【００１２】
前記絶縁部材が０．０５ｍｍ〜０．３ｍｍの厚さを有することができる。
【００１３】
前記ラウンド部は、１ｍｍ〜８ｍｍの曲率半径を有することができる。
【００１４】
前記絶縁部材の終端において、該絶縁部材の外面と前記終端壁の外面とが同一平面をなすことができる。
【００１５】
前記ラウンド部が前記ケースの外方に向けて突出することができる。
【００１６】
前記ラウンド部が前記側壁と接続する第１の終端と、前記終端壁と接続される第２の終端とを備え、前記第２の終端において前記ラウンド部の外面と前記終端壁の外面とが同一平面をなすことができる。
【００１７】
前記ラウンド部は、前記ケースの内方に向けて突出することができる。
【００１８】
前記絶縁部材の第１部分が平面部であり、前記絶縁部材の第２部分がラウンド部であることができる。
【００１９】
前記絶縁部材の第１部分と第２部分とが一体となった部材、又は分離された部分でありうる。
【００２０】
前記絶縁部材が終端壁には配置されないことでありうる。
【００２１】
また、前記バッテリーパックは、前記ケースの終端壁と接触する冷却プレートをさらに備えることができる。
【００２２】
また、前記目的を達成すべく、本発明の実施の形態に係るバッテリーパックは、電極組立体、内部に前記電極組立体を収容し、第１終端に配置される終端壁、前記終端壁に接続され前記第１終端とは反対側の第２終端に向けて延びる側壁、及び前記終端壁と前記側壁との間を接続するラウンド部を有するケースを備えるバッテリーセルと、前記ケースの側壁に配置され、前記ラウンド部の少なくとも一部を覆う絶縁部材とを備え、前記絶縁部材の外面と前記終端壁の外面とが同一平面をなすことを特徴とする。
【００２３】
前記側壁の外面から前記絶縁部材の終端までの距離が、前記側壁の外面から前記ケースの第１終端から第２終端に向かう中心軸までの距離の１０％以下でありうる。
【００２４】
前記ケースが、前記ラウンド部と前記終端壁との間を接続し、前記終端壁の外面よりも前記ケースの内側に位置し前記終端壁の外面に対して平行な外面を有する延長部をさらに備え、前記絶縁部材が前記延長部の少なくとも一部を覆うことができる。
【００２５】
また、前記バッテリーセルと隣接する少なくとも一つの隔壁をさらに備えることを特徴とする。
【００２６】
前記ケースの終端壁と接触する冷却プレートをさらに備えることができる。
【００２７】
前記絶縁部材が前記ラウンド部と前記冷却プレートとの間の空間内部に延びることができる。
【発明の効果】
【００２８】
本発明の実施の形態に係るバッテリーパックは、終端がケースのラウンド部に配置される絶縁部材を備えることによって、バッテリーセルをフレームの空間に挿入する際に、絶縁部材の終端が隔壁にかかって損傷するのを防止できる。
【００２９】
したがって、本発明の実施の形態に係るバッテリーパックは、バッテリーセルの絶縁性を確保してバッテリーセルと外部電子機器との間の不要な短絡を防止することができる。
【図面の簡単な説明】
【００３０】
【図１】本発明の一実施の形態に係るバッテリーパックを示す結合斜視図である。
【図２】図１のバッテリーパックのうち、バッテリーセルとフレームとを示す分解斜視図である。
【図３】図１のバッテリーパックのうち、バッテリーセルと絶縁部材とを示す分解斜視図である。
【図４】図１のバッテリーパックの下部を示す一部断面図である。
【図５】図４のケースと絶縁部材とを示す拡大断面図である。
【図６】図１の絶縁部材のさらに他の例を示す断面図である。
【図７】本発明の他の実施の形態に係るバッテリーパックのうち、図４と対応する部分の断面図である。
【図８】図７のケースと絶縁部材とを示す拡大断面図である。
【図９】本発明のさらに他の実施の形態に係るバッテリーパックのうち、図４と対応する部分の断面図である。
【図１０】図９のケースと絶縁部材とを示す拡大断面図である。
【発明を実施するための形態】
【００３１】
以下に添付図面を参照しながら、本発明の好適な実施の形態について詳細に説明する。なお、本明細書および図面において、実質的に同一の機能構成を有する構成要素については、同一の符号を付することにより重複説明を省略する。
【００３２】
図１は、本発明の一実施の形態に係るバッテリーパックを示す結合斜視図であり、図２は、図１のバッテリーパックのうち、バッテリーセルとフレームとを示す分解斜視図で、図３は、図１のバッテリーパックのうち、バッテリーセルと絶縁部材とを示す分解斜視図で、図４は、図１のバッテリーパックの下部を示す一部断面図で、図５は、図４のケースと絶縁部材とを示す拡大断面図で、図６は、図１の絶縁部材のさらに他の例を示す断面図である。
【００３３】
図１〜図６に示すように、本発明の一実施の形態に係るバッテリーパック１００は、少なくとも一つのバッテリーセル１１０、絶縁部材１２０、フレーム１３０及び冷却プレート１４０を備えて構成されうる。
【００３４】
前記バッテリーセル１１０は、陽極板と陰極板とがセパレーターを間に隔てて位置する電極組立体１１１と、電極組立体１１１と電解液とが内蔵される空間を備えるケース１１３と、ケース１１３と結合されてケース１１３を密封するキャップ組立体１１５と、陽極板と陰極板の各々と電気的に接続され、キャップ組立体１１５の外側に突出する陽極端子１１７と陰極端子１１９とを備えて構成されうる。ここで、ケース１１３は、電極組立体１１１が収容されうるように開口した上部を有し、一対の第１側面（又は第１側壁）１１３ａ、一対の第２側面１１３ｂ（又は第２側壁）及び下面（又は終端壁）１１３ｃを備えて構成されうる。前記第１側面１１３ａは幅の広い長側面でありえ、第２側面１１３ｂは第１側面１１３ａと接続され第１側面１１３ａの幅よりも狭い幅を有する短側面でありえ、下面１１３ｃは第１側面１１３ａと第２側面１１３ｂとに接続されうる。言い換えれば、前記下面１１３ｃはバッテリーセル１１０の第１終端に配置され、第１側面１１３ａと第２側面１１３ｂとは下面１１３ｃに接続されてバッテリーセル１１０の第１終端とは反対側の第２終端に向けて延びるものでありうる。
【００３５】
前記ケース１１３は、金属プレートを深絞り（ｄｅｅｐ  ｄｒａｗｉｎｇ）して形成され、ケース１１３の形成工程により、第１側面１１３ａ及び第２側面１１３ｂのそれぞれと下面１１３ｃとが接続する部分に外方に突出したラウンド部Ｓｒが形成されうる。
【００３６】
以上のような構成を有するバッテリーセル１１０は、外部電子機器に接続されて電源を供給する放電動作、又は外部電子機器から電源の供給を受ける充電動作などを行う。
【００３７】
前記絶縁部材１２０は、バッテリーセル１１０の側面、すなわちケース１１３の第１側面１１３ａと第２側面１１３ｂとを取り囲むように形成される。例えば、前記絶縁部材１２０は、ケース１１３の第１側面１１３ａと第２側面１１３ｂとを連続的に取り囲むように一体型チューブ状に形成されうる。すなわち、絶縁部材１２０は、接合線（ｓｅａｍ）のない一つの塊から形成され、中空の状態で長く延びた形状を有しうる。ここで、前記絶縁部材１２０は、ケース１１３のうち、ラウンド部Ｓｒの少なくとも一部を覆うが、下面１１３ｃは覆わないように延びる。これにより、前記絶縁部材１２０の下部の終端は、ラウンド部Ｓｒの開始点と終点との間に位置しうる。ここで、前記ラウンド部Ｓｒの開始点（又はラウンド部Ｓｒの第１の終端）は、第１側面１１３ａと第２側面１１３ｂのそれぞれとラウンド部Ｓｒとが会する、又は接触する部分であり、ラウンド部Ｓｒの終点（又はラウンド部Ｓｒの第２の終端）は、ラウンド部Ｓｒと下面１１３ｃとが会する、又は接触する部分である。すなわち、前記ラウンド部Ｓｒの開始点は、第１側面１１３ａと第２側面１１３ｂと直接に接続され、ラウンド部Ｓｒの終点は、下面１１３ｃと直接に接続される。例えば、ラウンド部Ｓｒの終点の外面は、下面１１３ｃの外面と同一平面をなすことができる。また、絶縁部材１２０の終端の外面は、下面１１３ｃの外面と同一平面をなしうる。すなわち、前記絶縁部材１２０の下部の終端が下面１１３ｃと同一平面をなしうる。
【００３８】
以上のような絶縁部材１２０は、バッテリーセル１１０と外部電子機器との間に発生しうる不要な短絡を防止する機能を果たす。また、前記絶縁部材１２０は、フレーム１３０の空間１３３にバッテリーセル１１０を挿入する際に、絶縁部材１２０の終端が隔壁１３４にかかるのを防止しながら、バッテリーセル１１０から発生する熱がケース１１３の下面１１３ｃを介して放出されるようにすることができる。
【００３９】
前記絶縁部材１２０は、具体的には第１絶縁側面１２１と第２絶縁側面１２２とを備えることができる。前記第１絶縁側面１２１は、第１側面１１３ａに対応しラウンド部Ｓｒまで延びる長側面でありえ、第２絶縁側面１２２は、第２側面１１３ｂに対応しラウンド部Ｓｒまで延びる短側面でありうる。このような絶縁部材１２０は、内部にバッテリーセル１１０が収容された状態でヒーティング（ｈｅａｔｉｎｇ）工程によりバッテリーセル１１０に密着されうる。ここで、前記ヒーティング工程時に、熱は、第２側面１１３ｂとラウンド部Ｓｒとに向けて加えられる。これは、第１側面１１３ａに熱を加えると、第１絶縁側面１２１が不均一になるためである。この場合、フレーム１３０の空間１３３にバッテリーセル１１０を挿入するとき、第１側面１１３ａに密着された第１絶縁側面１２１がフレーム１３０の隔壁１３４に均一に接触されず、フレーム１３０を介したバッテリーセル１１０の熱放出効率が低下する。
【００４０】
次に、前記絶縁部材１２０とケース１１３との密着関係について、第１絶縁側面１２１と第１側面１１３ａとを例に説明する。なお、第２絶縁側面１２２と第２側面１１３ｂとの密着関係については、第１絶縁側面１２１と第１側面１１３ａとの密着関係と同様であるため詳細な説明を省略する。
【００４１】
図４及び図５に示すように、前記第１絶縁側面１２１は、下部の終端がラウンド部Ｓｒに位置するようケース１１３に密着される。具体的には、前記第１絶縁側面１２１は、第１側面１１３ａに配置されて密着される第１絶縁平面部（又は第１部分）１２１Ｐと、ラウンド部Ｓｒの少なくとも一部に配置されて密着される第１絶縁ラウンド部（又は第２部分）１２１Ｒとを備える。ここで、第１絶縁ラウンド部１２１Ｒの終端は、ラウンド部Ｓｒに位置する。前記第１絶縁平面部１２１Ｐと第１絶縁ラウンド部１２１Ｒとは、一体となった部材であってもよく、分離された部分であってもよい。ここで、前記ラウンド部Ｓｒの曲率半径Ｒは、１ｍｍ以上８ｍｍ以下でありうる。前記ラウンド部Ｓｒの曲率半径Ｒが１ｍｍ未満であると、第１絶縁ラウンド部１２１Ｒが形成される空間が少なくなり、ケース１１３の下面１１３ｃ方向に配置され難い。この場合、フレーム１３０の空間１３３にバッテリーセル１１０を挿入するときに、第１絶縁側面１２１の終端が隔壁１３４により近くなることで隔壁１３４に引っかかりやすくなる。一方、前記ラウンド部Ｓｒの曲率半径Ｒが８ｍｍを超えると、ケース１１３の内部空間で電極組立体１１１とケース１１３との間に形成されるデッドスペースが大きくなる問題点がある。
【００４２】
前記絶縁部材１２０は、絶縁性でかつ熱収縮性の物質、例えばポリカーボネート（ＰＣ）、ポリプロピレン（ＰＰ）、ポリエチレン（ＰＥ）及びポリエチレンテレフタレート（ＰＥＴ）の中から選択された少なくともいずれか一つの物質から形成されうる。また、図６に示すように、前記絶縁部材１２０は、バッテリーセル１１０から発生する熱の容易な放出のために、ポリカーボネート（ＰＣ）、ポリプロピレン（ＰＰ）、ポリエチレン（ＰＥ）及びポリエチレンテレフタレート（ＰＥＴ）の中から選択された少なくともいずれか一つの物質に、熱伝導性を有する物質、例えばセラミック粒子１２０ａを含めて形成されてもよい。
【００４３】
また、絶縁部材１２０は、０．０５ｍｍ〜０．３ｍｍの厚さを有するように形成されうる。なお、絶縁部材１２０を０．０５ｍｍ未満の厚さに形成することは射出工程の特性上難しく、また絶縁部材１２０を０．３ｍｍの厚さを超えるように形成するとバッテリーパック１００の全体厚が大きくなってしまう。
【００４４】
前記フレーム１３０は、一対の第１支持板１３１と、一対の第１支持板１３１に接続される１対の第２支持板１３２とを備え、内部にバッテリーセル１１０が挿入される空間１３３を形成するための少なくとも一つの隔壁１３４を備える。前記隔壁１３４は、第１支持板１３１と平行に配列されうる。このようなフレーム１３０は、金属材質、例えばアルミニウム材質から形成されて、バッテリーセル１１０から発生した熱を外部に放出する機能を果たすことができる。
【００４５】
前記冷却プレート１４０は、フレーム１３０の下部に結合され接触される。また、前記冷却プレート１４０は、フレーム１３０の空間１３３に挿入されるバッテリーセル１１０の下部、例えばケース１１３の下面１１３ｃに接触する。このような冷却プレート１４０は、内部に冷却水の流れ経路が形成された金属材質から形成されて、冷却水によりバッテリーセル１１０から発生する熱又はバッテリーセル１１０からフレーム１３０を介して伝達された熱を冷却させることができる。図示していないが、前記冷却プレート１４０は、冷却水を供給する冷却水供給装置と接続されうる。
【００４６】
上記のように、本発明の一実施の形態に係るバッテリーパック１００は、終端がケース１１３のラウンド部Ｓｒに位置する絶縁部材１２０を具備することによって、バッテリーセル１１０をフレーム１３０の空間１３３に挿入する際に、絶縁部材１２０が隔壁１３４に引っかかって損傷するのを防止できる。
【００４７】
したがって、本発明の一実施の形態に係るバッテリーパック１００は、バッテリーセル１１０の絶縁性を確保して、バッテリーセル１１０と外部電子機器との間の不要な短絡を防止できる。
【００４８】
以下、本発明の他の実施の形態に係るバッテリーパックについて説明する。
【００４９】
図７は、本発明の他の実施の形態に係るバッテリーパックのうち、図４と対応する部分の部分断面図で、図８は、図７のケースと絶縁部材を示す拡大断面図である。
【００５０】
本発明の他の実施の形態に係るバッテリーパックは、図１に示すバッテリーパック１００と比較してケース２１３と絶縁部材２２０の構成が異なるが、それ以外では同様の構成を有し、同様の作用を果たす。したがって、同様の構成に対する図示及び重複した説明は省略し、ケース２１３と絶縁部材２２０とについて重点的に説明する。
【００５１】
図７及び図８に示すように、前記ケース２１３は、図３及び図４に示すケース１１３と類似している。ただし、前記ケース２１３は、第１側面１１３ａ及び第２側面１１３ｂのそれぞれと下面１１３ｃとの間に形成される外方に突出したラウンド部Ｓｒ１だけでなく、延長部Ｓｅをさらに備える。前記延長部Ｓｅは、ラウンド部Ｓｒ１からケース２１３の下面１１３ｃと平行な方向に延び、ケース２１３の下面１１３ｃよりも高い位置、つまりケース２１３のより内側に位置する。これにより、前記ケース２１３の第１側面１１３ａと下面１１３ｃとの間で延長部Ｓｅの外側に絶縁部材２２０が収容されうる収容空間Ｓｓ１が形成されることができる。ここで、前記第１側面１１３ａと下面１１３ｃとの間の距離Ｄｐは、ケース１１３の中心軸Ｃと第１側面１１３ａとの間の距離Ｄｃの１０％以下でありうる。すなわち、前記ケース２１３の第１側面１１３ａの外面から絶縁部材２２０の終端までの距離Ｄｐが、ケース２１３の第１側面１１３ａの外面からケース２１３の第１終端から第２終端に向かう中心軸Ｃまでの距離Ｄｃの１０％以下でありうる。これは、距離Ｄｐが距離Ｄｃの１０％を超えると、バッテリーセル１１０から発生する熱がケース２１３の下面１１３ｃを介して放出する効果が少なくなるためである。
【００５２】
前記絶縁部材２２０は、具体的に図３及び図４に示す第１絶縁側面１２１及び第２絶縁側面１２２と類似の第１絶縁側面２２１及び第２絶縁側面（図示せず）を有する。ただし、前記第１絶縁側面２２１は、第１側面１１３ａと対応しラウンド部Ｓｒを経て収容空間Ｓｓ１まで延びる長側面でありえ、第２絶縁側面（図示せず）は、第２側面（図３の１１３ｂ）と対応し、ラウンド部Ｓｒを経て収容空間Ｓｓ１まで延びる短側面でありうる。以下では、第１絶縁側面２２１と第２絶縁側面（図示せず）のうち、第１絶縁側面２２１を例として具体的に説明する。
【００５３】
前記第１絶縁側面２２１は、下部の終端がケース２１３の収容空間Ｓｓ１に位置するようにケース２１３に密着される。具体的に、前記第１絶縁側面２２１は、第１側面１１３ａに密着される第１絶縁平面部２２１Ｐと、ラウンド部Ｓｒ１に密着される第１絶縁ラウンド部２２１Ｒと、収容空間Ｓｓ１に収容される第１絶縁延長部２２１Ｅとを備える。
【００５４】
一方、第２絶縁側面（図示せず）は、第１絶縁側面２２１と幅が異なりうるが、同じ形態で形成されるので、具体的な説明を省略する。
【００５５】
上記のように、本発明の他の実施の形態に係るバッテリーパックは、絶縁部材２２０をケース２１３の収容空間Ｓｓ１に収容して、ケース２１３の下部に安定して配置することによって、フレーム１３０の空間１３３にバッテリーセル１１０を挿入するとき、絶縁部材２２０の終端が隔壁１３４に引っかかって損傷するのをさらに効果的に防止しつつ、バッテリーセル１１０から発生する熱がケース２１３の下面１１３ｃを介して放出されるようにすることができる。
【００５６】
したがって、本発明の他の実施の形態に係るバッテリーパックは、バッテリーセル１１０の絶縁性をさらに効果的に確保して、バッテリーセル１１０と外部電子機器との間の不要な短絡を防止できる。
【００５７】
以下では、本発明のさらに他の実施の形態に係るバッテリーパックについて説明する。
【００５８】
図９は、本発明のさらに他の実施の形態に係るバッテリーパックのうち、図４と対応する部分の断面図で、図１０は、図９のケースと絶縁部材を示す拡大断面図である。
【００５９】
本発明のさらに他の実施の形態に係るバッテリーパックは、図１に示すバッテリーパック１００と比較して、ケース３１３と絶縁部材３２０の構成が異なるが、それ以外では同様の構成を有し、同様の作用を果たす。これにより、同様の構成に対する図示及び重複した説明は省略し、ケース３１３と絶縁部材３２０とについて重点的に説明する。
【００６０】
図９及び図１０に示すように、前記ケース３１３は、図３及び図４に示すケース１１３と類似している。ただし、前記ケース３１３は、第１側面１１３ａ及び第２側面１１３ｂのそれぞれと下面１１３ｃとの間に形成されるラウンド部Ｓｒ２がケース３１３の内方に突出する。これにより、前記第１側面１１３ａ及び第２側面１１３ｂのそれぞれと下面１１３ｃとの間でラウンド部Ｓｒ２の外側に絶縁部材３２０が収容されることができる収容空間Ｓｓ２が形成されうる。
【００６１】
前記絶縁部材３２０は、具体的には図３及び図４に示す第１絶縁側面１２１及び第２絶縁側面１２２と類似する第１絶縁側面３２１及び第２絶縁側面（図示せず）を有する。ただし、前記第１絶縁側面３２１は、第１側面１１３ａと対応し収容空間Ｓｓ２に収容されるように延びる長側面でありえ、第２絶縁側面（図示せず）は、第２側面（図３の１１３ｂ）と対応し収容空間Ｓｓ２に収容されるように延びる短側面でありうる。以下では、第１絶縁側面３２１と第２絶縁側面（図示せず）とのうち、第１絶縁側面３２１を例として具体的に説明する。
【００６２】
前記第１絶縁側面３２１は、下部の終端が収容空間Ｓｓ２に位置するようにケース３１３に密着される。具体的には、前記第１絶縁側面３２１は、第１側面１１３ａに密着される第１絶縁平面部３２１Ｐと、収容空間Ｓｓ２に収容される第１絶縁ラウンド部３２１Ｒとを備える。
【００６３】
一方、第２絶縁側面（図示せず）は、第１絶縁側面３２１と幅が異なりうるが、同じ形態で形成されるので、具体的な説明を省略する。
【００６４】
上記のように、本発明のさらに他の実施の形態に係るバッテリーパックは、絶縁部材３２０をケース３１３の収容空間Ｓｓ２に収容して、ケース３１３の下部に安定して配置することによって、フレーム１３０の空間１３３にバッテリーセル１１０を挿入するとき、絶縁部材３２０の終端が隔壁１３４に引っかかって損傷するのをさらに効果的に防止しつつ、バッテリーセル１１０から発生する熱がケース３１３の下面１１３ｃを介して放出されるようにすることができる。
【００６５】
したがって、本発明のさらに他の実施の形態に係るバッテリーパックは、バッテリーセル１１０の絶縁性をさらに効果的に確保して、バッテリーセル１１０と外部電子機器との間の不要な短絡を防止できる。
【００６６】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【符号の説明】
【００６７】
１００    バッテリーパック
１１０    バッテリーセル
１２０、２２０、３２０    絶縁部材
１３０    フレーム
１４０    冷却プレート
【図１】
0005524912.tif 000002
【図２】
0005524912.tif 000003
【図３】
0005524912.tif 000004
【図４】
0005524912.tif 000005
【図５】
0005524912.tif 000006
【図６】
0005524912.tif 000007
【図７】
0005524912.tif 000008
【図８】
0005524912.tif 000009
【図９】
0005524912.tif 000010
【図１０】
0005524912.tif 000011